(57)【要約】【課題】傘の傘爪が顔に触れた場合の障害度を軽くすることと、傘糸の解けを無くす傘爪覆い用具を提供する。【解決手段】傘爪覆い用具Ａは後辺Ｂ２、Ｂ３の間から傘爪Ｅを傘爪部屋Ｅ３に収容し、傘布Ｈの上面下面を傘爪覆い用具Ａではさんで、のり又は縫い付けて接着し、筒Ｄで顔に触れた場合の障害度を、直接傘爪Ｅで触れるより軽くすることと、縫い糸Ｆが傘の度重なる開閉でも解けることが無くなる。【選択図】図３
2012050794.tif 000002
【特許請求の範囲】
【請求項１】
傘爪に装着する用具であって、周辺が解けない長方形の布状を二つ折りして重ね合わせ、折り目を前方にしてクッション性のある太い糸が通ることが出来る筒を折り目に平行に作り、用具を傘爪を含む傘布に接着することにより、筒に傘爪の突き出し防止とクッションの働きをさせ、クッション性のある筒に万一顔に触れた場合の傷害度を、傘爪が直接触れた場合より軽くすることを特徴とする傘爪覆い用具。
【請求項２】
前項の傘爪を必ず前方の中心に位置させるため、筒の中心の後に傘爪の先端を収容する部屋を作り、傘爪を用具の後方の２枚の間を通して傘爪を収容し、収容を継続する為後方で分れた２枚は傘布に上下から糊又は縫い付けて接着することを特徴とする傘爪覆い用具。
【請求項３】
傘爪に装着する用具であって、傘爪近辺の傘布と傘骨を縫いつけた縫い糸が用具に接着することにより、傘の度重なる開閉でも解けることがなくなることを特徴とする傘爪覆い用具。
【請求項４】
傘爪に装着する用具であって、各傘爪の前方の筒に一本の紐を通して両端を結ぶと輪状となり、傘爪の突き出た外見を更に隠すことが出来る事を特徴とする傘爪覆い用具。
【請求項５】
前項の筒に通す紐を蛍光色に染めて、雨天に関係なく夜間に使用し、交通事故防止の一助になる事を特徴とする傘爪覆い用具。
【請求項６】
傘爪に装着する用具であって、筒に鈴紐を通して鈴を下げ、音で周囲の人に傘の使用中を知らせて注意を促すことが出来る事を特徴とする傘爪覆い用具。
【発明の詳細な説明】
【技術分野】
【０００１】  本発明は傘爪が万一顔に触れた場合の、障害度を軽くする傘爪覆いに関する事である。【０００２】  傘爪は誰が見ても危ないと思うが、対策をした傘をあまり見た事が無い。子供用傘に特に感じる。【０００３】  傘爪近くの傘布の縫い糸が解けて、傘骨から離れる事は日常茶飯事である。【０００４】  傘本体が完成品として売られ、更に部品を付け加えて価値を高める傾向が無い。【０００５】  傘に蛍光色を染めたり、音が出る部品を付けて周囲に注意を促す対策はあまり見た事が無い。
【発明の開示】
【発明が解決しようとする課題】
【０００６】  傘爪は危なく見えるので、多機能を付加して人々が使用したくなる傘爪覆い用具を案出するに至ったものである。【０００７】  傘爪が顔に触れた場合、従来品より障害度を軽くする傘爪覆い用具を提供する事である。【０００８】  傘爪近辺の傘布を傘骨に縫い付けた縫い糸が解けて、煩わしい修理が発生するのを避ける傘爪覆い用具を提供する事である。【０００９】  雨天に関係なく夜間に人間の存在を示し、交通事故を防ぐ一助になる蛍光色に染めた傘爪覆い用具を提供する事である。【００１０】  鈴音を発して周りの人に傘の使用中を知らせる傘爪覆い用具を提供する事である。
【課題を解決するための手段】
【００１１】  傘の最大の欠点である見た目にも危険である傘爪を、より安全にする事は当然の事であり、人々が進んで対策品を使用する意欲を持たせる工夫が必要である。【００１２】  本発明は上記の技術的課題を達成すべく、傘爪に装着する用具で、周辺が解けない長方形の布状を二つ折りして重ね合わせ、折り目を前方にしてクッション性のある太い糸が通ることが出来る筒を折り目に平行に作り、用具を傘爪を含む傘布に接着することにより、筒に傘爪の突き出し防止とクッションの働きをさせ、クッション性のある筒に万一顔に触れた場合の障害度を、傘爪が直接触れた場合より軽くすることを特徴とする。【００１３】  前項の傘爪を必ず前方の中心に位置させるため、筒の中心の後に傘爪の先端を収容する部屋を作り、傘爪を用具の後方の２枚の間を通して傘爪を収容し、収容を継続する為後方で分れた２枚は傘布に上下からのり又は縫い付けて接着することを特徴とする。【００１４】  傘爪に装着する用具であって、傘爪近辺の傘布と傘骨を縫い付けた縫い糸が用具に接着することにより、傘の度重なる開閉でも解けることが無くなることを特徴とする。【００１５】  傘爪に装着する用具であって、各爪の前方にある筒に一本の紐を通して両端を結ぶと輪状となり、傘爪の突き出た外見を更に隠すことが出来る事が特徴とする。【００１６】  前項の筒に通す紐を蛍光色に染めて、雨天に関係なく夜間に使用し、交通事故防止の一助になる事を特徴とする。【００１７】  傘爪に装着する用具であって、筒に鈴紐を通して鈴を下げ、音で周囲の人に傘の使用中を知らせて注意を促すことが出来る事を特徴とする。
【発明の効果】
【００１８】  従来の傘の傘爪を外部に突き出た外見から、内部に収容する形となり、外見上見た目に安心感を生じる。【００１９】  傘爪の前方に筒があり、万一の場合クッション性のある筒が最初に顔に触れるので、直接触れる従来の傘爪より危険度が軽くなる。【００２０】  傘爪に装着する用具は、後方の２枚で傘布を傘骨に縫い付けた場所を上下に接着するので、縫い付けた糸が解ける事がなくなり、再度糸を縫いつける作業が無くなる。【００２１】  日傘のように昼間使用する傘に用具を装着し、蛍光色に染めた紐を筒に通して夜間使用し、交通事故防止の一助に使用する事が出来る。【００２２】  傘に１個又は前後に２個、筒に鈴紐を通して鈴を下げ音で周囲に傘の使用中を知らせ、傘による事故防止の一助とする。
【発明を実施するための最良の形態】
【００２３】  以下に添付の図面に基づいて本発明の好ましい実施例を説明する。【００２４】  図１、図２は傘爪に装着する用具に使用する布の平面図でミシン縫い可能、周辺が解けない長方形の布を使用し、角点をＡ１、Ａ２、Ａ３、Ａ４としサイズは自由に変更可能で、横の中心線Ｂは布を二つ折りにする場合の印である。縦の中心線をＣとする。【００２５】  図２は横の中心線Ｂを二つ折りして前辺Ｂ１とし、角点Ａ１、Ａ４の辺を後辺Ｂ２、角点Ａ２、Ａ３の辺は後辺Ｂ３とし、後辺Ｂ２、Ｂ３は重なり合う。【００２６】  図２の前辺Ｂ１に平行した筒線Ｄ１にミシン掛けして、クッション性のある糸Ｋが通る筒Ｄを作る。クッション性のある糸Ｋを通すことにより筒Ｄと輪状の状態となる。【００２７】  図２で傘爪Ｅを収容するため、縦中心線Ｃに平行で、筒線Ｄ１との２つの交点から同じ長さの傘爪線Ｅ１、Ｅ２にミシン掛けして、傘爪部屋Ｅ３を作る。【００２８】    図３、図４は後辺Ｂ２、Ｂ３の間を通して傘爪Ｅを傘爪部屋Ｅ３に収容し、傘布Ｈの上面下面を傘爪覆い用具Ａで挟んでのり又は縫いつけた状態を示した図である。
これにより傘布Ｈと傘骨Ｇを縫いつけた縫い糸Ｆが度重なる傘の開閉でも解ける事が無くなり、煩わしい再度の縫い付け作業が無くなる。【００２９】  図３でクッション性のある糸Ｋにを蛍光色に染めて、雨天に関係なく夜間に使用し、交通事故防止の一助にする。【００３０】  図４は図３の筒Ｄの中央に鈴Ｊを付けた場合の側面略図で、鈴音で周囲に傘の使用中を知らせるものであるが、１個又は左右対称に２個、アクセサリー的使用でも良い。【００３１】  図５は筒Ｄを二重の筒にしてクッションを良くするため、予め筒線Ｄ１、Ｄ２の線を引き、筒線Ｄ２ミシン掛けして裏返しし、更に筒線Ｄ１にミシン掛けすると、二重の筒Ｄが出来上がる。傘爪部屋Ｅ３作りはハの字形にしたものである。【００３２】  図６は前辺Ｂ１を円形状にするため予め円筒線Ｄ３、Ｄ４の点を引き、円筒線Ｄ３にミシン掛けして裏返しし、更に円筒線Ｄ４にミシン掛けすると、円形筒Ｄ５が出来上がる。傘爪部屋Ｅ３作りは図２に準じる。
【図面の簡単な説明】
【００３３】
【図１】傘爪覆い用具に使用する布の形を示した図である。
【図２】傘爪覆い用具の布を二つ折りした形を示した図である。
【図３】図２の布にミシン掛けした傘爪覆い用具を傘に装着して説明するための図である。
【図４】傘爪覆い用具に鈴の装着を説明するための側面略図である。
【図５】傘爪覆い用具の筒を２重の筒にするための説明図である。
【図６】傘爪覆い用具の前方を円形状にした筒にするための説明図である。
【符号の説明】
【００３４】Ａ          傘爪覆い用具
Ａ１、Ａ２、Ａ３、Ａ４    角点
Ｂ          横中心線
Ｂ１        前辺
Ｂ２、Ｂ３  後辺
Ｃ          縦中心線
Ｄ          筒
Ｄ１、Ｄ２  筒線
Ｄ３、Ｄ４  円筒線
Ｄ５        円形筒
Ｅ          傘爪
Ｅ１、Ｅ２  傘爪線
Ｅ３        傘爪部屋
Ｆ          傘糸
Ｇ          傘骨
Ｈ          傘布
Ｊ          鈴
Ｋ          クッション性のある糸
【図１】
2012050794.tif 000003
【図２】
2012050794.tif 000004
【図３】
2012050794.tif 000005
【図４】
2012050794.tif 000006
【図５】
2012050794.tif 000007
【図６】
2012050794.tif 000008